(57)【要約】【課題】気道受話器と骨伝導受話器の複合動作をする受話器により、気道音と骨伝導振動を同時に出力する。その両出力の相乗効果と、概略円筒形状の中空構造のケースの効果により、装用者としての伝音系軽度難聴者、健常聴力者などに、騒音下などでも良好な音声聴取を可能とする。更に、気道受話器と骨伝導受話器の複合動作をする受話器の定置性を高める。【解決手段】上記課題を解決するため、本発明の気道受話器と骨伝導受話器の複合動作をする受話器は、骨伝導振動の伝導と気道音の導音を目的とした、概略ドーム形状の中空構造のケースと、気道音発生用の振動板とを一体構成とし、電磁型や電歪素子などによる振動発生機構の振動部に施工した。  上記課題の良好な音声聴取や定置性を高めるため、本発明の気道受話器と骨伝導受話器の複合動作をする受話器は、使用者の外耳道開口部への圧接装用を、本来的意図とするので、使用者の外耳道開口部の個人差を考慮して、概略ドーム形状の中空構造のケースに、外周調整ケースを施工できる構造とした。【選択図】図１
2008109599.tif 000002
【特許請求の範囲】
【請求項１】
概略ドーム形状の中空構造のケースに、気道音発生用の振動板を施工した構成体に、振動起動部が施工されたことを特徴とする、骨伝導受話器と気道受話器の複合動作をする受話器。
【請求項２】
概略ドーム形状の中空構造のケースに、気道音発生用の振動板を施工したことを特徴とする、骨伝導受話器と気道受話器の複合動作をする受話器
【請求項３】
振動起動部の振動体に、概略ドーム形状の中空構造のケースを施工したことを特徴とする、骨伝導受話器と気道受話器の複合動作をする受話器。
【請求項４】
受話器を構成する概略ドーム形状の中空構造のケースに、外周調整カバーの施工が出来ることを特徴とする、骨伝導受話器と気道受話器の複合動作をする受話器。
【発明の詳細な説明】
【技術分野】
【０００１】  本発明は、骨伝導受話器と気道受話器の両機能を併せ持つ、複合動作をする受話器に関するものである。
【背景技術】
【０００２】  従来の骨伝導受話器は、骨伝導用の振動を出力する。その出力端の装用部位は、使用者の側頭部や頬骨部、希に前額部が使用され、装用部位からの骨伝導振動が、頭部の骨部による骨伝導効果で聴覚器官に達し、音声を認識している。【０００３】  従来の気道受話器は、音声を出力する。その出力端の装用部位は、使用者の外耳道開口部で、空気伝搬作用による音声が、外耳道及び鼓膜を経由して聴覚器官に達し、音声を認識している。
【発明の開示】
【発明が解決しようとする課題】
【０００４】  骨伝導受話器の施工されている電話機などの使用者は、その骨伝導受話器の出力端を、側頭部や頬骨部などに、手による保持などにより押圧を加えて装用して使用している。
骨伝導受話器出力端の前記装用部位の適不適も影響するが、手による保持位置に対する持続性の難や、使用者の頭部の動きによる影響などで、骨伝導受話器出力端の装用部位に対する安定性のある定置性に乏しく、聴取に影響を与えるなどの難がある。【０００５】  使用者の骨伝導受話器の出力端の装用部位が、聴覚器官からやや離れた位置に有ることや、骨格や肥満度の影響などから、骨伝導受話器の骨伝導振動の伝導効果に影響があり、骨伝導による音声聴取に難を生じている。【０００６】  気道受話器の施工されている電話機などの使用者は、外耳道開孔部を装用部位として、気道受話器の出力端からの音声を聴取しているが、気道受話器の出力端と、使用者の外耳道開口部との間には、必然的に間隙を生じるので、騒音の影響を排除し難く、騒音環境での音声聴取に難を生じている。また間隙から音声の漏洩が有り、秘話性にも難がある。
【課題を解決するための手段】
【０００７】  上記課題を解決するために、骨伝導受話器と気道受話器の、両製品の機能と特徴を継承し統合しつつ、新機能を付加し解決を図った。それが本発明の、骨伝導受話器と気道受話器の複合動作をする受話器である。
即ち、本発明の上記受話器は、骨伝導振動の伝導と気道音の導音を目的とした概略ドーム形状の中空構造のケースに、気道音発生用の振動板を施工して一体構成とし、これに電磁型や電歪素子などによる振動発生機構の振動部に施工した。【０００８】  上記、概略ドーム形状の中空構造のケースは、金属やプラスチックなどの硬質部材で、そのドーム形状のケース外周に導通孔を施工し音孔を形成した。又、外周の大きさ調整用に、接着剤などによる外周調整カバーの取り付けを可能とした。
【発明の効果】
【０００９】  前記構成により、本発明の骨伝導受話器と気道受話器の複合動作をする受話器の、振動部が起動すれば、前記概略ドーム形状の中空構造のケースが振動する。この時概略ドーム形状の中空構造のケースと一体構成の、気道音発生用振動板も振動して、気道音が発生する。前記概略ドーム形状の中空構造のケースの振動は骨伝導用の振動となる。
結果として、骨伝導振動と気道音発生の振動が同時となり、概略ドーム形状の中空構造のケースにより、骨伝導振動の伝導と気道音の導音がなされることになる。【００１０】  前記、概略ドーム形状の中空構造のケースは、外耳道開口部に圧接装用する。骨伝導振動と気道音は、この外耳道開口部に入力される。
この外耳道開口部は、装用者の頭部内の聴覚器官の近傍であることから、効率よく骨伝導振動と気道音による音声聴取ができる。【００１１】  本発明の骨伝導受話器と気道受話器の、複合動作をする受話器は、概略ドーム形状の中空構造のケースを、外耳道開口部に圧接装用する点と、前記概略ドーム形状の中空構造のケースの遮蔽効果で、音声の漏洩が避けられ、秘話性の確保、あわせて騒音などの混入も避けられる。【００１２】  本発明の骨伝導受話器と気道受話器の、複合動作をする受話器の、前記概略ドーム形状の中空構造のケースの装用部位は、使用者の外耳道開孔部になるので、使用時の外見も自然観を損なわず、装用も容易に行える。【００１３】  外耳道開口部周辺に耳介があり、本発明の、骨伝導受話器と気道受話器の複合動作をする受話器は、この耳介を利用することで、前記受話器の装用位置の安定性が確保できる。
その結果、前記概略ドーム形状の中空構造のケースの定置性も良好となる。
【発明を実施するための最良の形態】
【００１４】  本発明実施の形態は、骨伝導振動と気道音を同時に発生させる目的のために、骨伝導振動の伝導と気道音の導音を目的とした、概略ドーム形状の中空構造のケースと、気道音発生用の振動板を、圧接着などにより一体構成とし、これに電磁型や電歪素子などによる振動発生機構の振動部に施工して、骨伝導受話器と気道受話器の複合動作をする受話器を実現したものである。【００１５】  前記概略ドーム形状の中空構造のケースに、外周調整ケースの施工を可能として、外耳道開口部の個人差による大きさに対応し、定置性が高められる構成を可能とした。
以下に本発明実施の形態を、一実施例にもとづき図面を参照して説明する。
【実施例１】
【００１６】  図１は、本発明の一実施例の断面図であって、１気道音発生用振動板、２概略ドーム形状の中空構造のケース、これは骨伝導振動の伝導と気道音の導音も兼ねる。３コイル、４磁性体、５磁石、６受話器の筐体、９振動部、これらは電磁型の振動発生機構の各部であり、振動発生機構の一例で電磁型の構成である。
８ａ、８ｂ入力端子から、３コイルに音声電流が流れると、その強弱により、４磁性体と５磁石の作用で、電磁力に強弱の変化が起こる。９振動部は鉄が主成分であるので、その電磁力の強弱の変化に応じて振幅振動することになる。
１気道音発生用振動板と、２概略ドーム形状の中空構造のケースは一体構成に施工されて、９振動部に施工しているので、前記振幅振動で骨伝導用振動と気道音の発生が同時に発生する。
２概略ドーム形状の中空構造のケースは骨伝導振動を伝導し、その内部を気道音が導音され７音孔から出力される。
ここで１気道音発生用振動板を省略し、９振動部を、気道音発生用の振動板として兼用動作とすることも可能である。【００１７】  図２の実施例は、１０本発明の受話器装用状態の一実施例を示す略図である。１３は耳介で、１０は本発明の受話器である。１１は概略ドーム形状の中空構造のケースで、この先端部が１２外耳道の開孔端に圧接装用されることで、骨伝導振動と気道音の出力が、１２外耳道内へ入力される。
ここで１１概略ドーム形状の中空構造のケースは、１２外耳道の開孔端に圧接装用されるので、１１概略ドーム形状の中空構造のケースとの密閉効果により、騒音の混入などが防げ音声聴取の効果が上がる。
１３耳介は、１０本発明の受話器の保持に活用出来るので、１１概略ドーム形状の中空構造のケースの定置性の確保が容易となる。【００１８】  図３は、１４外周調整カバーと、１６本発明の受話器との関連を示す一実施例で、図２の１２外耳道の開孔端は大小の個人差がある。従って外周調整が必要となる場合がある。
そこで１４外周調整カバーを、１５概略ドーム形状の中空構造のケースに、接着などで施工出来る構造の一実施例を示したものである。
この施工により図２の１２外耳道の開孔端の大小差に対処できることになる。【００１９】  図４は、図３の１６本発明の受話器を、２０携帯電話機に施工した。使用例は圧接装用状態での一実施例で、使用状態の一例の略図である。
図４に於いては、２０携帯電話機に施工された、上記受話器の１９概略ドーム形状の中空構造のケースを、１８外耳道の開孔端に圧接装用した時の概略図で、装用者が骨伝導受話器と気道受話器の混合出力を得られる状態である。
この状態で、骨伝導受話器と気道受話器の混合動作をする、図３の１６本発明の受話器の、特徴的で効果的な機能が発揮される。【００２０】  図５は図３の１６本発明の受話器を、２４携帯電話機に施工した、間隙使用状態の一実施例である。２２外耳道の開孔端から、２３概略ドーム形状の中空構造のケースを、間隙を設けた状態での使用状態を示す一実施例である。
この状態で、従来の気道受話器による音声聴取状態とほぼ同様となる。
【産業上の利用可能性】
【００２１】  本発明の、骨伝導受話器と気道受話器の、複合動作をする受話器は、骨伝導用振動と気道音が同時に発生し出力されるので、骨伝導と気道音による両効果の、相互補完作用による聴取効果が得られ、聴感が倍加する。この点が前記本発明の、骨伝導受話器と気道受話器の、複合動作をする受話器による最大の特徴となる。
更に、骨導聴力の補正用としての骨伝導受話器、気道聴力の補正用としての気道受話器としての使用と、何れか一方式の受話器としての使用にも有効である。【００２２】  本発明の、骨伝導受話器と気道受話器の、複合動作をする受話器の、概略ドーム形状の中空構造のケースを、外耳道開口部へ圧接装用することで、前記受話器の耳介を利用しての保持効果も利用できるので、定置性も良く、良好な聴取効果が獲得できる。
この外耳道開口部は、頭部内の聴覚器官の近傍にあたるので、良好な音声聴取が得られる。更に、概略ドーム形状の中空構造のケースの遮蔽効果で、騒音環境中などで騒音の影響が軽減されるので、秘話性の向上も図られることになる。【００２３】  本発明の骨伝導受話器と気道受話器の、複合動作をする受話器は、上記で示した骨伝導と気道音の複合作用による聴感の相乗効果や、騒音環境中の使用での音声聴取の優位性などから、伝音系軽度難聴者や気道系軽度難聴者とともに、健常聴力者にも利便を提供出来るので、使用者の適応対象層の範囲拡大につながる。【００２４】  本発明の骨伝導受話器と気道受話器の、複合動作をする受話器は、使用者の手で保持して使用する電話機の受話器や、携帯受信機などの受話器部等への施工が有効である。また単体で外装品的な使用の場合は、外周調整カバーの施工による外耳道内への挿入装用や、ヘッドバンドでの使用、或いは補聴器などへの使用も有効である。
【図面の簡単な説明】
【００２５】
【図１】本発明の一実施例の断面図。
【図２】本発明の装用状態の一実施例を示す略図。
【図３】外周調整カバーと本発明の受話器との関連を示す一実施例。
【図４】本発明の受話器を携帯電話機に施工した、圧接装用状態の一実施例。
【図５】本発明の受話器を携帯電話機に施工した、間隙使用状態の一実施例。
【符号の説明】
【００２６】  １  気道音発生用振動板
２、１１、１５、１９、２３  概略ドーム形状の中空構造のケース
３  コイル
４  磁性体
５  磁石
６  受話器の筐体
７  音孔
８ａ、８ｂ  入力端子
９  振動部
１０、１６  本発明の受話器
１２、１８、２２  外耳道
１３、１７、２１  耳介
１４  外周調整カバー
２０、２４  携帯電話機
【図１】
2008109599.tif 000003
【図２】
2008109599.tif 000004
【図３】
2008109599.tif 000005
【図４】
2008109599.tif 000006
【図５】
2008109599.tif 000007
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
概略ドーム形状で、中空構造のケースの内部に、気道音発生用の振動板を施工し、そのケースの頂部に出力音孔を施工し、振動発生機構の振動部に施工したことを特徴とする、骨伝導受話器と気道受話器として複合動作をする受話器。
【請求項２】
気道音の導音と、骨伝導用振動を伝導する、概略ドーム形状で中空構造のケースを、振動発生機構の振動部に施工したことを特徴とする、請求項１記載の骨伝導受話器と気道受話器として複合動作をする受話器
【請求項３】
複合動作をする受話器を構成する、概略ドーム形状で中空構造のケースに、外周調整カバーの施工が出来ることを特徴とする、請求項１と請求項２記載の骨伝導受話器と気道受話器として複合動作をする受話器。